(57)【特許請求の範囲】
【請求項１】
扉の内側に取り付けられるケースと、
前記扉への取付部分を複数有し、前記扉の外側に取り付けられる扉開閉用のつまみ・把手と、
前記ケース内に移動可能に収納されるとともに、先端部が当該ケースから出没自在なラッチと、
このラッチを、常時、先端方向へ付勢する付勢手段と、
前記ラッチに形成したカムと、
このカムに係合する移動手段と、
一端に前記移動手段を取り付けるとともに、他端を前記つまみ・把手の複数の取付部分における一の取付部分に固定し、かつ前記扉の貫通孔を貫通する作動軸と、
前記扉の貫通孔に配設され、前記作動軸を軸方向へ移動自在に保持するブッシュ手段と、
一端側に付勢手段を介装し、他端を前記つまみ・把手の複数の取付部分における他の取付部分に固定し、前記扉の貫通孔を軸方向へ移動自在に貫通するボルトと、
本体の扉側に固定され、前記ラッチ先端部と係合する受座と
を備えたことを特徴とするラッチ式扉ロック装置。
【請求項２】
前記作動軸を移動自在に保持するブッシュ手段が、前記扉の貫通孔に嵌入される筒状のガイドブッシュと、このガイドブッシュの内周に移動自在に係入されるとともに、前記作動軸の他端側外周に巻装される筒状ガイドとからなる請求項１記載のラッチ式扉ロック装置。
【請求項３】
前記ガイドブッシュと筒状ガイドの間の一部に、当該筒状ガイドの移動方向に沿って隙間を形成した請求項２記載のラッチ式扉ロック装置。
【請求項４】
前記つまみ・把手に螺合するボルトが貫通する扉の貫通孔に、当該ボルトを軸方向に移動自在に保持するブッシュ手段を配設した請求項１〜３のいずれかに記載のラッチ式扉ロック装置。
【請求項５】
前記ボルトを移動自在に保持するブッシュ手段が、前記扉の貫通孔に嵌入されるとともに、二つの連通する部屋を備えた筒状のガイドブッシュと、このガイドブッシュのつまみ・把手側の部屋に移動自在に係入され、前記ボルトの他端側外周に巻装される筒状ガイドとからなり、前記ガイドブッシュの他の部屋には、前記ボルト一端側に介装された付勢手段が配設される請求項４記載のラッチ式扉ロック装置。
【請求項６】
前記ガイドブッシュが、軸方向に沿って開閉自在に形成された請求項５記載のラッチ式扉ロック装置。
【請求項７】
前記ボルトを移動自在に保持するブッシュ手段が、前記扉の貫通孔に嵌入される筒状のガイドブッシュと、このガイドブッシュのつまみ・把手と反対側の端部に嵌合する、前記ボルトの頭部より小径のリング部材とからなり、このガイドブッシュ内に、前記ボルトの頭部を付勢手段を介して移動自在に配設した請求項４記載のラッチ式扉ロック装置。
【発明の詳細な説明】
【０００１】
【発明の属する技術の分野】
本発明は、家具，キャビネット等の開閉自在な扉に設けられたラッチ式の扉ロック装置に関し、特に、扉のつまみ・把手のがたつきを無くし、円滑，確実に扉のロック及び解除を行なえるとともに、種々のタイプのつまみ・把手にも使用できるラッチ式扉ロック装置に関する。
【０００２】
【従来の技術】
家具，キャビネット等の開閉自在の扉に設けられたラッチ式の扉ロック装置の従来の技術としては、これまで、例えば米国特許公報第３，８３０，５３５号に記載された扉開閉具（Closure）がある。
図２３は、この従来のラッチ式扉ロック装置（扉開閉具）を示す分解斜視図であり、図２４は、図２３に示す扉ロック装置の要部断面側面図である。
【０００３】
これらの図に示すように、従来のラッチ式扉ロック装置は、開閉する扉１の内側に固定されるハウジング１００と、このハウジング１００内に移動自在に収納されるとともに、先端部がハウジング１００から出没するラッチ２００とからなっている。
【０００４】
ラッチ２００はコイルスプリング３００によって常に先端方向に付勢されるとともに、両側面にカム溝２０１が形成してあり、このカム溝２０１に、扉１のつまみ３に連結した作動軸４００の端部が係合している。
そして、このラッチ２００が、扉１を閉めた状態のときに、扉１が取り付けられている家具，キャビネット等の本体２側に取り付けられた係止部５００に係合し、扉１をロックするようになっている。
【０００５】
このような構成からなる従来の扉ロック装置によれば、扉１のつまみ３を手前に引くと、つまみ３に連結した作動軸４００がカム溝２０１内を移動しながらカム溝２０１を押圧するので、ラッチ２００がハウジング１００内を後端方向に移動され、係止部５００との係合が解除されて扉１が開く。
【０００６】
そして、扉１を閉じると、ラッチ２００の先端が、再び本体２側の係止部５００に係合し、これによって扉１は本体２側にロックされるようになっている。
このように、従来のラッチ式の扉ロック装置によれば、扉のつまみを引くだけでロックを解除できるとともに、扉を閉めれば、自動的に扉がロックされるようになっていた。
【０００７】
【発明が解決しようとする課題】
しかしながら、このような従来の扉ロック装置では、ラッチを動かすためのつまみに連結された作動軸と、この作動軸が貫通する扉の貫通孔の間に隙間があったため、つまみを引く際にがたつきが生じるという問題があった。
また、作動軸は、軸部につまみと螺合するためのねじが露出しているため、このねじの部分が扉の開閉の際に扉の貫通孔と擦れてしまい、扉の開閉がスムーズに行なえないという問題も発生した。
【０００８】
なお、一般に軸状部材とこの軸状部材が貫通する貫通孔との摩擦等を防止するため、貫通孔に軸受け用の金属筒等からなるブッシュを嵌め込む方法が広く知られており、ラッチ式の扉ロック装置にも、このようなブッシュを使用したものが一部開発されている。
しかし、ブッシュを使用した扉ロック装置であっても、ブッシュ内周と作動軸との摩擦やがたつきは依然として生じてしまい、上述した従来の問題点を解決することはできなかった。
【０００９】
本発明は、このような従来の技術が有する問題を解決するために提案されたものであり、扉のつまみ・把手のがたつきを無くし、円滑，確実に扉のロック及び解除を行なえるとともに、種々のタイプのつまみ・把手にも使用できるラッチ式扉ロック装置の提供を目的とする。
【００１０】
【課題を解決するための手段】
上記目的を達成するため本発明の請求項１記載のラッチ式扉ロック装置は、扉の内側に取り付けられるケースと、前記扉への取付部分を複数有し、前記扉の外側に取り付けられる扉開閉用のつまみ・把手と、前記ケース内に移動可能に収納されるとともに、先端部が当該ケースから出没自在なラッチと、このラッチに形成したカムと、このラッチを、常時、先端方向へ付勢する付勢手段と、前記カムに係合する移動手段と、一端に前記移動手段を取り付けるとともに、他端を前記つまみ・把手の複数の取付部分における一の取付部分に固定し、かつ前記扉の貫通孔を貫通する作動軸と、前記扉の貫通孔に配設され、前記作動軸を軸方向へ移動自在に保持するブッシュ手段と、一端側に付勢手段を介装し、他端を前記つまみ・把手の複数の取付部分における他の取付部分に固定し、前記扉の貫通孔を軸方向へ移動自在に貫通するボルトと、本体の扉側に固定され、前記ラッチ先端部と係合する受座とを備えた構成としてある。
【００１１】
このような構成からなる本発明のラッチ式扉ロック装置によれば、つまみ・把手の複数の取付部分の他側にも付勢手段を配したつまみ・把手ボルトを設けることによって、つまみ・把手の他側部分についても作動軸を配した側とほぼ同じ抵抗力をもって引っ張ることができるので、大型のつまみや把手において使用でき、滑らかな扉の開閉を行なえる。
【００１２】
また、請求項２記載のラッチ式扉ロック装置は、前記作動軸を移動自在に保持するブッシュ手段が、前記扉の貫通孔に嵌入される筒状のガイドブッシュと、このガイドブッシュの内周に移動自在に係入されるとともに、前記作動軸の他端側外周に巻装される筒状ガイドとからなる構成としてある。
【００１３】
このような構成からなる本発明のラッチ式扉ロック装置によれば、扉のつまみ・把手を引くことのみによって、扉のロックを解除することができ、つまみ・把手を離して扉を閉めることのみによって、扉を簡単にロックすることができる。
【００１４】
そして、つまみ・把手に連結した作動軸が、扉に配したブッシュ手段によって移動自在に保持されているので、つまみ・把手にがたつきが生じたり、作動軸と扉との摩擦が生じたりすることもなく、滑らかに扉の開閉が行なわれる。
【００１５】
また、請求項３記載のラッチ式扉ロック装置は、前記ガイドブッシュと筒状ガイドの間の一部に、当該筒状ガイドの移動方向に沿って隙間を形成した構成としてある。このような構成からなる本発明のラッチ式扉ロック装置によれば、扉の把手を引き出す際に、把手を引く力のバランスに偏りがある場合、すなわち、ガイドブッシュと筒状ガイドの移動方向の軸心にずれが生じた場合でも、隙間によってずれを吸収することができ、滑らかに扉を開閉することができる。
【００１６】
また、請求項４記載のラッチ式扉ロック装置は、前記つまみ・把手に螺合するボルトが貫通する扉の貫通孔に、当該ボルトを軸方向に移動自在に保持するブッシュ手段を配設した構成としてある。
【００１７】
また、請求項５記載のラッチ式扉ロック装置は、前記ボルトを移動自在に保持するブッシュ手段が、前記扉の貫通孔に嵌入されるとともに、二つの連通する部屋を備えた筒状のガイドブッシュと、このガイドブッシュのつまみ・把手側の部屋に移動自在に係入され、前記ボルトの他端側外周に巻装される筒状ガイドとからなり、前記ガイドブッシュの他の部屋には、前記ボルト一端側に介装された付勢手段が配設される構成としてある。
【００１８】
また、請求項６記載のラッチ式扉ロック装置は、前記ガイドブッシュが、軸方向に沿って開閉自在に形成された構成としてある。
【００１９】
さらに、請求項７記載のラッチ式扉ロック装置は、前記ボルトを移動自在に保持するブッシュ手段が、前記扉の貫通孔に嵌入される筒状のガイドブッシュと、このガイドブッシュのつまみ・把手と反対側の端部に嵌合する、前記ボルトの頭部より小径のリング部材とからなり、このガイドブッシュ内に、前記ボルトの頭部を付勢手段を介して移動自在に配設した構成としてある。
【００２０】
なお、本発明において「つまみ・把手」とは、家具，キャビネット等の扉に設けられ、この扉を開閉する際に掴む部材を総称したものである。
【００２１】
【発明の実施の形態】
以下、本発明のラッチ式扉ロック装置の実施の形態について、図面を参照して説明する。
［第一の実施形態］
まず、本発明のラッチ式扉ロック装置の第一の実施形態について説明する。
図１は、本実施形態のラッチ式扉ロック装置を示す全体分解斜視図である。
図２は、本ロック装置の扉をロックした状態の正面図であり、図３は、図２に示すロック装置のケース部分を截断した正面図である。
【００２２】
また、図４は、本ロック装置の扉をロックした状態の側面図であり、図５は、図４に示す本ロック装置の図３におけるＡ−Ａ線要部截断側面図、図６は、同じく図３におけるＢ−Ｂ線要部截断側面図である。
さらに、図７は、図５に示す本ロック装置のロックを解除した状態の側面図であり、図８は、同じく図６に示す本ロック装置のロックを解除した状態の側面図である。
【００２３】
これらの図に示すように、本実施形態のラッチ式扉ロック装置は、開閉する扉１の内側に固定されるケース１０と、このケース１０内に移動自在に収納されるラッチ２０と、このラッチ２０を移動させるための移動手段３０及び作動軸４０とを備えた構成となっており、作動軸４０は、扉１のつまみ３に螺合されることによってつまみ３に連結されている。
そして、扉１が開閉自在に取り付けられた家具，キャビネット等の本体２側に設けた受座５０に、ラッチ２０が係合することにより、扉１が本体２側にロックされるようになっている。
【００２４】
ケース１０は、中空の筐体状となっており、両側面が、対向する一対のガイド壁１１を構成するとともに、上面が、この一対のガイド壁１１の一端側を連結するストッパ壁１２となっている。
ケース１０の正面側には、図５〜図８に示すように、作動軸４０を挿入するための挿入孔１３が穿設してある。
また、ケース１０の背面側及びストッパ壁１２と対向する底面側は、それぞれ開口しており、この開口からラッチ２０がケース１０内に収納できるようになっている。
【００２５】
挿入孔１３は、図５〜図８に示すように、ケース１０の内側に狭くなる摺鉢状に形成してあり、最狭部が作動軸４０の頭部より狭い径となっている。これにより、この挿入孔１３の最狭部から圧入されてケース１０内に挿入された作動軸４０は、頭部が挿入孔１３の内側に当接してケース１０の外に抜け出ないようになっている。
従って、ケース１０の少なくとも正面側部分は、一定の弾性を有する部材、例えば、プラスチックなどにより形成することが望ましい。
【００２６】
また、ケース１０の底面開口の側面方向の両縁部には、フランジ１４が形成してある。
このフランジ１４には、図１〜図３に示すように、固定用のねじが貫通するねじ孔１４ａが複数箇所（本実施形態では片側二箇所の計四箇所）に穿設してあり、ケース１０を扉１の内側面に固定するための固定部となっている。
１５は背面板で、ラッチ２０を収納したケース１０の背面開口に嵌め込まれて、収納されたラッチ２０の押さえ板として機能する。この背面板１５の中心には、作動軸４０が遊貫する長孔状の貫通孔１５ａが穿設してある。
【００２７】
さらに、ケース１０の一対のガイド壁１１の対向面には、図１及び図３に示すように、ケース１０の正面から背面方向にかけて、一対の案内溝１１ａが形成してある。
また、この一対のガイド壁１１には、ケース１０内に収納されたラッチ２０をガイドするためのリブ１１ｂが、図３に示すように、案内溝１１ａの同方向に形成されている。
【００２８】
このように、ガイド壁１１の内側に突条のリブ１１ｂを形成することにより、収納されたラッチ２０との間にがたの生じることを防ぐとともに、ラッチ２０とガイド壁１１との接触面積を少なくすることで、ラッチ２０とガイド壁１１の間の摩擦を少なくするようにしている。
【００２９】
ラッチ２０は、ケース１０の一対のガイド壁１１の間に移動可能に収納されるとともに、下端部がケース１０のストッパ壁１２と対向する底面開口から出没できるようになっている。
このラッチ２０の下端部分は、図１及び図５〜図８に示すように、ケース１０の正面側が曲面形状に形成されるとともに、ケース１０の背面側が段部２１を有する形状となっており、この段部２１が、本体側２の受座５０に係合するようになっている。
【００３０】
さらに、ラッチ２０の上端部には、コイルスプリング２３が収納されるスプリング収納部２２が設けてある。
コイルスプリング２３は、スプリング収納部２２に収納されることによって、ケース１０内に収納されたラッチ２０の上端とケース１０のストッパ壁１２の間に介在して、ラッチ２０を、一定の弾発力をもって常に下方（受座５０方向）に付勢する付勢手段となっている。
なお、コイルスプリング２３は、付勢手段としての一例であり、ラッチ２０を一定の弾発力で付勢できるものであれば、例えば、板ばね等の弾性体であってもよい。
【００３１】
ラッチ２０の両側面には、長手方向のほぼ中央部分に、ケース１０側に開口したほぼＶ字形状をなす一対のカム溝２４が形成してある。
このカム溝２４は、移動手段３０の後述する接触部３３と当接し、この接触部３３のケース１０の正面から背面方向への動きを、ラッチ２０の上方向への動きに変換し、ラッチ２０の先端をケース１０の底面から出没させるためのものである。
【００３２】
従って、このカム溝２４は、本実施形態においてはほぼＶ字形状に形成してあるが、これ以外の形状であっても、ラッチ２０の下方向に傾斜する斜面を備えた凹部であって、移動手段３０の動きをラッチ２０の動きに方向変換できる形状であれば、特にＶ字形状のものには限定されない。
なお、カム溝２４の上端部分は、傾斜のないストッパ部２４ａとして形成してあり、移動手段３０の接触部３３が当接して係止できるようになっている。
【００３３】
さらに、このラッチ２０の一対のカム溝２４の間には、ほぼ中心部分に、ケース１０側から反対側に貫通する貫通孔２５が穿設してあり、作動軸４０が貫通できるようになっている。
この貫通孔２５は、作動軸４０がラッチ２０のケース１０内で上下方向に移動できるよう、ケース１０の上下方向に長い長孔状に形成されている。
【００３４】
移動手段３０は、中心に作動軸４０が貫通する貫通孔３１を有しており、ケース１０と、ケース１０に収納されるラッチ２０の間に配設される。
この移動手段３０の両端側には、ケース１０の一対の案内溝１１ａに移動自在に係合する一対の案内部３２が突設してあり、また、この一対の案内部３２の内側には、ラッチ２０の一対のカム溝２４に当接，係合する一対の接触部３３が形成してある。
この一対の接触部３３は、図１に示すように、当接するカム溝２４を滑らかに押動できるよう、ラッチ２０側方向が曲面状になるように形成してある。
【００３５】
作動軸４０は、一端に頭部４１を備えた軸状部材であって、他端側が軸部４２となっており、この軸部４２の先端にはねじが形成され、長尺のボルト状となっている。
そして、この作動軸４０は、軸部４２が移動手段３０の貫通孔３１に貫通するとともに、頭部４１がこの貫通孔３１の周縁に当接している。
【００３６】
さらにこの作動軸４０は、軸部４２がラッチ２０の貫通孔２５及び背面板１５の貫通孔１５ａを介して扉１に穿設した貫通孔１ａを貫通するとともに、貫通した先端のねじ部がつまみ３に螺合して固定されて、つまみ３と連結されるようになっている。
【００３７】
受座５０は、扉１が取り付けられた本体側２にねじ止め等により固定されており、ラッチ２０の段部２１が係合する止め部５１が上方に突出している。
この止め部５１は、上述したラッチ２０の形状に対応して、ケース１０の正面側が曲面形状に形成されるとともに、ケース１０の背面側が、ラッチ２０の段部２１と係合できるようになっている。
【００３８】
ブッシュ手段６０は、扉１に形成した貫通孔１ａの内周に嵌合する、図９に示すような筒状のガイドブッシュ６１と、このガイドブッシュ６１の内周に移動自在に係合する筒状ガイド６２とからなっている。
【００３９】
ガイドブッシュ６１は、扉１の貫通孔１ａに圧入状態で嵌入する外径に形成してあり、内周は断面が八角形状となるように形成されている。
また、本実施形態では、このガイドブッシュ６１の外周全体に長手方向断面形状が鋸歯状となるような突起を数段形成してあり、この突起によってガイドブッシュ６１の圧入方向と反対方向側への脱落を防止している。
【００４０】
さらに、ガイドブッシュ６１の外周には、複数の突起６１ａが長手方向に突設してあり、これによって、ガイドブッシュ６１が貫通孔１ａ内で回転しないようになっている。
【００４１】
このガイドブッシュ６１に移動自在に係入される筒状ガイド６２は、図１０又は図１１に示すように、中心に作動軸４０が貫入する筒状部材であり、作動軸４０を貫入することによって、作動軸４０のねじ部を筒状ガイド６２で巻装するようになっている。
【００４２】
この筒状ガイド６２の外周は、ガイドブッシュ６１の内周形状に対応した八角形状となっており、筒状ガイド６２が軸回り方向に回らないようになっている。そして、この作動軸４０の外周に巻装された状態の筒状ガイド６２が、作動軸４０の動きに応じて、ガイドブッシュ６１内を軸方向に滑らかに移動できるようなっている。
【００４３】
また、図１０又は図１１に示すように、筒状ガイド６２の作動軸４０先端側の端部は、大径の皿形状となっており、この皿面には複数の突起６２ａが突設してある。
そして、この突起６２ａが、作動軸４０の先端に固定されるつまみ３の底面に食い込むことによって、つまみ３の回転止めとなっている。
【００４４】
この突起６２ａは、つまみ３の底面に食い込むものであれば、その形状等は特に限定されず、例えば、図１２に示す刺状のものであっても、図１３に示す楔状のものであってもよい。
なお、筒状ガイド６２が滑らかに移動できるよう、ガイドブッシュ６１及び筒状ガイド６２の材質としては、プラスチック製等とすることが好ましい。
【００４５】
次に、このような構成からなる本実施形態のラッチ式扉ロック装置の組立及び扉への取付手順について説明する。
まず、ケース１０の一対の案内溝１１ａに移動手段３０の案内部３１を係合させて、移動手段３０をケース１０内に収納する。
【００４６】
次に、ラッチ２０のスプリング収納部２２に、コイルスプリング２３を収納する。
この状態で、ケース１０の一対のガイド壁１１の間にラッチ２０を収納して組み込むとともに、ケース１０の背面側に背面板１５を嵌め込んで、ケース１０内のラッチ２０を押さえる。
【００４７】
一方、扉１には、ドリル等の工具を用いて貫通孔１ａを穿設しておく。
そして、この貫通孔１ａにガイドブッシュ６１を圧入するとともに、この圧入したガイドブッシュ６１に筒状ガイド６２を係入する。
このとき、筒状ガイド６２の先端側の頭部は皿形状となっているので、この頭部がストッパとなって、筒状ガイド６２全体がガイドブッシュ６１内に係入した状態で止まる。
【００４８】
次いで、作動軸４０をケース１０の正面側の挿入孔１３から挿入して、移動手段３０の貫通孔３１，ラッチ２０の貫通孔２５及び背面板１５の貫通孔１５ａに貫通させるとともに、ガイドブッシュ６１内の筒状ガイド６２に嵌入する。
その後、作動軸４０の先端をつまみ３に螺合し、固定する。
【００４９】
この状態で、ケース１０のフランジ１４に固定用のねじを貫通させ、扉１の所定の位置にねじを螺合して固定する。
これにより、本装置は扉１の内側に取り付けられる。
なお、このとき、本体側２の対応する位置に、受座５０も固定しておく。
【００５０】
次に、このようにして取り付けた本実施形態のラッチ式扉ロック装置の動作について説明する。
まず、図２〜図６に示すように、扉１を閉めた状態では、ラッチ２０には、常にコイルスプリング２３の付勢力が働いているので、ラッチ２０の先端がケース１０の底面開口から外へ突出しており、段部２１が受座５０の止め部５１と係合し、扉１は本体側２にロックされている。
【００５１】
なお、このとき移動手段３０は、案内部３２がケース１０の案内溝１１ａに係合するとともに、接触部３３がカム溝２４のスットパ部２４ａに当接しているので、ラッチ２０にコイルスプリング２３の付勢力が働いても、ラッチ２０はケース１０の外部へ脱落することはない。
【００５２】
次に、扉１を開けようとしてつまみ３を手前に引くと、つまみ３に連結している作動軸４０が移動し、これによって、移動手段３０が手前側に引っ張られる。
移動手段３０が引っ張られると、案内部３２がケース１０の一対の案内溝１１ａにガイドされて、案内溝１１ａ内を手前側に移動する（図７及び図８参照）。
このとき、作動軸４０はブッシュ手段６０によって軸方向に移動自在に保持されているので、がたつきや扉１の貫通孔１ａと干渉することなく、滑らかに手前に引くことができる。
【００５３】
そして、移動手段３０が移動すると、移動手段３０の接触部３３がラッチ２０のカム溝２４を押動し、ラッチ２０がコイルスプリング２３の付勢力に抗して上方に移動する。
これによって、ラッチ２０と受座５０との係合が解除されて、扉１のロックが外れ、扉１が開く。
そして、つまみ３を離すと、コイルスプリング２３の付勢力によって、ラッチ２０は再びケース１０の底面から突出した状態に戻る。
【００５４】
その後、この状態で扉１を閉めると、受座５０の止め部５１の曲面部分にラッチ２０の先端部の曲面部分が当接するが、さらに扉１を押し込むことによって、ラッチ２０が受座５０の止め部５１を滑りながら乗り越え、コイルスプリング２３の付勢力に抗して上方に移動する。そして、受座５０を乗り越えたところで、ラッチ２０は再びケース１０から突出して受座５０に係合し、扉１はロックされる。
【００５５】
このように、本実施形態のラッチ式扉ロック装置によれば、扉１のつまみ３を引くだけで、扉１のロックを解除することができ、つまみ３を離して扉１を閉めるだけで、扉１を簡単にロックすることができる。
そして、つまみ３に連結した作動軸４０は、ブッシュ手段６０によって移動自在に保持されているので、つまみ３にがたつきが生じたり、扉１との摩擦が生じたりすることもなく、滑らかに扉の開閉が行なわれる。
【００５６】
［第二の実施形態］
次に、本発明のラッチ式扉ロック装置の第二の実施形態について説明する。
図１２は、本実施形態のラッチ式扉ロック装置を示す全体分解斜視図であり、図１３は、図１２に示す本ロック装置の他側の把手取付部分を分解した状態の全体分解斜視図である。
また、図１４は本ロック装置の扉をロックした状態の平面断面図であり、図１５は、同じくロックを解除した状態の平面断面図である。
【００５７】
本実施形態のラッチ式扉ロック装置は、把手３の両端を扉１側に曲折形成してほぼＵ字形状とし、それぞれの両端を扉１に取り付けてある。
すなわち、この把手３の扉１への一方の取付部分には、上述した第一の実施形態のラッチ式扉ロック装置が配設してあり、把手３が手前方向に移動可能となっている。
【００５８】
そして、この把手３の他方の取付部分は、把手３の先端部に螺合するボルト７０と、このボルト７０が貫通する扉１に形成した貫通孔１ｂ、及びこの貫通孔１ｂに設けられたブッシュ手段８０とで構成してあり、ボルト７０とブッシュ手段８０の間には、コイルスプリング９０が配設してある。
【００５９】
ボルト７０は、一端に頭部７１を備えた軸状部材で、他端側の軸部７２の先端にねじを形成してあり、この軸部７２のねじ部が把手３の他方の取付部分先端に螺合して固定されるようになっている。
ブッシュ手段８０は、扉１の貫通孔１ｂに圧入されるガイドブッシュ８１とボルト７０の軸部７２に巻装されてガイドブッシュ８１に係合する筒状ガイド８２とからなっている。
【００６０】
そして、ガイドブッシュ８１は、図１３に示すように、連通する二つの部屋を備えた筒状となっており、把手３側の部屋８１ａに、ボルト７０に巻装された筒状ガイド８２が移動自在に係入されるようになっている。
【００６１】
また、ガイドブッシュ８１の他の部屋８１ｂには、ボルト７０の軸部７２に挿入されたコイルスプリング９０が配設され、このコイルスプリング９０が、ボルト７０の頭部７２とこの二つの部屋８１ａ，８１ｂの仕切り壁８１ｃとの間に介在しており、把手３は、常に扉１の内側方向に付勢された状態で取り付けられている。
【００６２】
これによって、この把手３は、二箇所の取付部分とも、一定の弾発力をもって手前側に移動できるようになっている。
なお、本実施形態のブッシュ手段８０は、取付作業を容易にするため、図１３に示すように、ガイドブッシュ８１が軸方向に沿って二分割され、開閉できるように形成してある。
また、ガイドブッシュ８１の外周の一部には、第一実施形態のガイドブッシュ６１と同様の抜け止め用の突起が形成してある。
【００６３】
このように、本実施形態のラッチ式扉ロック装置によれば、把手３の他側の取付部分にコイルスプリング９０を配したボルト７０を設けることによって、把手３の他側部分についても作動軸４０を配した側とほぼ同じ抵抗力をもって引っ張ることができる。
これにより、把手３は両軸状部材の間で捩れ等が発生することなく、バランスよく手前に引くことができる。
【００６４】
本実施形態のラッチ式扉ロック装置は、図示した把手に実施するだけでなく、複数の取付部分が必要な大型のつまみにも実施することができる。
【００６５】
［第三の実施形態］
次に、本発明のラッチ式扉ロック装置の第三の実施形態について説明する。
図１６は、本実施形態のラッチ式扉ロック装置を示す全体分解斜視図であり、図１７は、図１６に示す本ロック装置の把手取付部分をさらに分解した状態の全体分解斜視図である。
【００６６】
図１８〜図２０は、本実施形態の用いるブッシュ手段を示す拡大分解斜視図である。
また、図２１は、本実施形態のロック装置の扉をロックした状態の平面断面図であり、図２２は、図２１に示す本ロック装置の扉への他方の取付部分を示すロック状態における拡大平面断面図であり、
【００６７】
これらの図に示すように、本実施形態のラッチ式扉ロック装置は、上述した第二実施形態の変形実施形態であり、Ｕ字形状に形成した把手３の扉１への取付部分のブッシュ手段６０及び８０を変更実施したものである。
【００６８】
すなわち、まず、把手３の一方の取付部分のブッシュ手段６０は、ガイドブッシュ６１と筒状ガイド６２の間の一部に、筒状ガイド６２の移動向に沿って隙間６２ｂを形成してある。
図１７及び図１８に示すように、本実施形態のブッシュ手段６０は、上述した第一及び第二実施形態とほぼ同様の構成となっており、扉１に形成した貫通孔１ａの内周に嵌合する、筒状のガイドブッシュ６１と、このガイドブッシュ６１の内周に移動自在に係合する筒状ガイド６２とからなっている。
【００６９】
そして、この筒状ガイド６２の把手３側のほぼ２／３の長さの部分について、移動方向に沿ってガイドブッシュ６１の内径より小さい径に形成し、ガイドブッシュ６１の内周との間に隙間６２ｂができるようにしてある。
【００７０】
このような構成からなる、本実施形態におけるブッシュ手段６０によれば、筒状ガイド６２の軸方向の１／３の部分についてはガイドブッシュ６１の内周に摺接した状態となるので、第二実施形態の場合と同様、筒状ガイド６２の移動時の把手３のがたつきを防止することができる。
その一方、筒状ガイド６２の長さの残りの２／３の部分についてはガイドブッシュ６１の内周に接触しない状態となり、隙間６２ｂが形成される。
【００７１】
このように、筒状ガイド６２とガイドブッシュ６１の間の一部に隙間６２ｂを形成することによって、把手３を引き出す際に、把手３を引く力のバランスに偏りがあって、ガイドブッシュ６１と筒状ガイド６２の移動方向の軸心にずれが生じた場合でも、隙間６２ｂによってずれを吸収することができ、滑らかに扉１の開閉を行なうことができる。
【００７２】
なお、筒状ガイド６２とガイドブッシュ６１の隙間６２ｂの部分については、本実施形態では、筒状ガイド６２の移動方向の２／３としてあるが、特にこれに限定されるものではない。
すなわち、本ロック装置を使用する扉１や把手３の大きさ等に応じて、この隙間６２ｂの部分の軸方向の長さを増減することは可能である。
【００７３】
一方、把手３の他方の取付部分のブッシュ手段８０については、把手３に螺合するボルト７０の一端側を一体的に収納できるガイドブッシュ８３により構成してある。
すなわち、図１７及び図１９，図２０に示すように、本実施形態におけるボルト７０を移動自在に保持するブッシュ手段８０は、筒状のガイドブッシュ８３と、このガイドブッシュ８３の一端側開口に嵌合するリング部材８４とからなっている。
【００７４】
ガイドブッシュ８３は、上述した第二実施形態の場合と同様、扉１の貫通孔１ｂに嵌入される筒状部材であって、一側、すなわち、把手３への取付部分側には、ボルト７０の軸部７２の径とほぼ同径の貫通孔８３ａが形成してあり、他側の開口から付勢手段としてのコイルスプリング９０を介装したボルト７０の頭部７１側が収納可能となっている。
【００７５】
そして、このガイドブッシュ８３の他側の端部開口にリング部材８４が嵌合するようになっている。
このリング部材８４は、ボルト７０の頭部７１より小径のリング状に形成されるとともに、外径はガイドブッシュ８３の他端側開口に嵌合できる大きさに形成してある。
【００７６】
本実施形態では、図２０に示すように、ガイドブッシュ８３への嵌合を容易とするため、このリング部材８４にスリットを有するＣリング状に形成するとともに、その外周二箇所に突起８４ａを突設し、一方、ガイドブッシュ８３の他端側開口の内周には、この突起８４ａが係合する係合孔８３ｂが穿設してある。
これによって、リング部材８４は、内側に撓ませた状態でガイドブッシュ８３の開口に挿入するだけで、リング部材８４自身の弾性と突起８４ａの係合孔８３ｂへの係合によって、簡単にガイドブッシュ８３に嵌合させることができる。
【００７７】
このような本実施形態のブッシュ手段８０によれば、扉１に把手３を取り付ける前に、ボルト７０をガイドブッシュ８３の他端側開口から、軸部７２にコイルスプリング９０を介装した状態で挿入して収納し、この状態でガイドブッシュ８３にリング部材８４を嵌合させることによって、ガイドブッシュ８３とボルト７０を一体とすることができる。
【００７８】
これにより、リング部材８４がボルト７０の頭部７１より小径となっているので、ボルト７０がガイドブッシュ８３から脱落することはない。
従って、ボルト７０やコイルスプリング９０が紛失等するおそれもなくなり、本ロック装置の扉１への取付作業や、取付前の保管等がきわめて便利となる。
【００７９】
なお、本実施形態のブッシュ手段８０のボルト７０の貫通孔８３ａの部分に、上述した第二実施形態における筒状ガイド８２を配設することも可能である。
すなわち、ガイドブッシュ８０の貫通孔８３ａの部分を厚手，長尺化し、筒状ガイド８２が係入可能な径に形成することによって、第二実施形態と同様に筒状ガイド８２を移動可能に配設することが可能である。
【００８０】
【発明の効果】
以上説明したように本発明のラッチ式扉ロック装置によれば、扉のつまみ・把手のがたつきを無くし、円滑，確実に扉のロック及び解除を行なうことができるとともに、種々のタイプのつまみ・把手についても使用することが可能となる。
【図面の簡単な説明】
【図１】本発明の第一の実施形態にかかるラッチ式扉ロック装置を示す全体分解斜視図である。
【図２】本発明の第一の実施形態にかかるラッチ式扉ロック装置の扉をロックした状態の正面図である。
【図３】図２に示すロック装置のケース部分を截断した正面図である。
【図４】本発明の第一の実施形態にかかるラッチ式扉ロック装置の扉をロックした状態の側面図である。
【図５】図４に示すラッチ式扉ロック装置の図３におけるＡ−Ａ線截断側面図である。
【図６】図４に示すラッチ式扉ロック装置の図３におけるＢ−Ｂ線截断側面図である。
【図７】図５に示すラッチ式扉ロック装置のロックを解除した状態の側面図である。
【図８】図６に示すラッチ式扉ロック装置のロックを解除した状態の側面図である。
【図９】本発明の第一の実施形態にかかるラッチ式扉ロック装置のブッシュ手段を示す全体分解斜視図である。
【図１０】本発明の第一の実施形態にかかるラッチ式扉ロック装置の筒状ガイドの一例を示す全体斜視図である。
【図１１】本発明の第一の実施形態にかかるラッチ式扉ロック装置の筒状ガイドの一例を示す全体斜視図である。
【図１２】本発明の第二の実施形態にかかるラッチ式扉ロック装置を示す全体分解斜視図である。
【図１３】図１２に示すラッチ式扉ロック装置の他側の把手取付部分を分解した状態の全体分解斜視図である。
【図１４】本発明の第二の実施形態にかかるラッチ式扉ロック装置の扉をロックした状態の平面断面図である。
【図１５】本発明の第二の実施形態にかかるラッチ式扉ロック装置のロックを解除した状態の平面断面図である。
【図１６】本発明の第三の実施形態にかかるラッチ式扉ロック装置を示す全体分解斜視図である。
【図１７】本発明の第三の実施形態にかかるラッチ式ロック装置の把手取付部分をさらに分解した状態の全体分解斜視図である。
【図１８】本発明の第三の実施形態のラッチ式ロック装置に用いるブッシュ手段を示す拡大分解斜視図である。
【図１９】本発明の第三の実施形態のラッチ式ロック装置に用いるブッシュ手段を示す拡大分解斜視図である。
【図２０】本発明の第三の実施形態のラッチ式ロック装置に用いるブッシュ手段を示す拡大分解斜視図である。
【図２１】本発明の第三の実施形態にかかるラッチ式ロック装置の扉をロックした状態の平面断面図である。
【図２２】本発明の第三の実施形態にかかるラッチ式ロック装置の扉への他方の取付部分を示すロック状態における拡大平面断面図であり、
【図２３】    従来のラッチ式扉ロック装置を示す全体分解斜視図である。
【図２４】従来のラッチ式扉ロック装置の扉をロックした状態の側面断面図である。
【符号の説明】
１…扉
２…本体
３…つまみ・把手
１０…ケース
１１…ガイド壁
１２…ストッパ壁
１５…背面板
２０…ラッチ
２３…コイルスプリング
２４…カム溝
３０…移動手段
３２…案内部
３３…接触部
４０…作動軸
５０…受座
６０…ブッシュ手段
６１…ガイドブッシュ
６２…筒状ガイド
６２ａ…隙間
７０…ボルト
８０…ブッシュ手段
８１…ガイドブッシュ
８２…筒状ガイド
８３…ガイドブッシュ
８４…リング部材
９０…コイルスプリング
【図１】
0003668329.tif 000002
【図２】
0003668329.tif 000003
【図３】
0003668329.tif 000004
【図４】
0003668329.tif 000005
【図５】
0003668329.tif 000006
【図６】
0003668329.tif 000007
【図７】
0003668329.tif 000008
【図８】
0003668329.tif 000009
【図９】
0003668329.tif 000010
【図１０】
0003668329.tif 000011
【図１１】
0003668329.tif 000012
【図１２】
0003668329.tif 000013
【図１３】
0003668329.tif 000014
【図１４】
0003668329.tif 000015
【図１５】
0003668329.tif 000016
【図１６】
0003668329.tif 000017
【図１７】
0003668329.tif 000018
【図１８】
0003668329.tif 000019
【図１９】
0003668329.tif 000020
【図２０】
0003668329.tif 000021
【図２１】
0003668329.tif 000022
【図２２】
0003668329.tif 000023
【図２３】
0003668329.tif 000024
【図２４】
0003668329.tif 000025